(57)【要約】【課題】表示部の画面の中のある領域に子画面を重ねて表示するときに、画面内の主要被写体領域が子画面によって隠れないようにすることができる撮像装置を提供する。【解決手段】撮影前のモニタリング時において、第１の撮像手段（撮影レンズ、ＣＣＤイメージセンサ）によって得られた第１のモニタリング画像を液晶モニタ８の画面に表示するとともに、第２の撮像手段（測距装置）によって得られた、第１のモニタリング画像の撮影画角範囲を含む第２のモニタリング画像を前記画面内の所定位置に重ねた子画面３０に表示する際に、モニタリング時に前記画面に表示された主要被写体領域（顔検出枠Ａ）に子画面３０が重ならないように、子画面３０の位置を移動及び／又はサイズ縮小させるような制御を行う。【選択図】図８
2013017125.tif 000002
【特許請求の範囲】
【請求項１】
第１の撮影光学系を通して被写体像が結像される第１の撮像素子を有する第１の撮像手段と、
第２の撮影光学系を通して前記被写体像が結像される第２の撮像素子を有する第２の撮像手段と、
撮影前のモニタリング時において、前記第１の撮像手段によって得られた第１のモニタリング画像を主画面に表示するとともに、前記第２の撮像手段によって得られた、前記第１のモニタリング画像の撮影画角範囲を含む第２のモニタリング画像を前記主画面の所定位置に重ねた子画面に表示する表示手段と、
前記第１の撮像手段又は前記前記第２の撮像手段によって得られた画像情報に基づいて前記第１のモニタリング画像又は前記第２のモニタリング画像の中から主要被写体領域を検出し、モニタリング時に前記主画面に表示された前記主要被写体領域に前記子画面が重ならないように、前記子画面の表示を制御する制御手段とを備えたことを特徴とする撮像装置。
【請求項２】
ズーム光学系を有する第１の撮影光学系を通して被写体像が結像される第１の撮像素子を有する第１の撮像手段と、前記第１の撮像手段に対して撮影光軸が所定距離だけ離間されて配置され、ズーム光学系を有する第２の撮影光学系を通して前記被写体像が結像される第２の撮像素子を有する第２の撮像手段とを具備し、前記第１、第２の各撮像手段によって得られた各画像から３Ｄ画像を生成可能な表示可能な撮像装置であって、
撮影前のモニタリング時において、前記第１の撮像手段によって得られたズームアップされた第１のモニタリング画像を主画面に表示するとともに、前記第２の撮像手段によって得られた広角側に設定された第２のモニタリング画像を前記主画面の所定位置に重ねた子画面に表示可能な表示手段と、
前記第１の撮像手段又は前記前記第２の撮像手段によって得られた画像情報に基づいて前記第１のモニタリング画像又は前記第２のモニタリング画像の中から主要被写体領域を検出し、モニタリング時に前記主画面に表示された前記主要被写体領域に前記子画面が重ならないように、前記子画面の表示を制御する制御手段とを備えたことを特徴とする撮像装置。
【請求項３】
前記制御手段は、前記主画面の中の前記主要被写体領域に対して前記子画面が重ならないように、前記子画面の位置を移動及び／又はサイズ縮小させるような制御を行うことを特徴とする請求項１又は２に記載の撮像装置。
【請求項４】
前記制御手段は、前記主画面全体の画面領域を複数のブロック領域に分割して、検出した前記主要被写体領域が存在しないブロック領域に前記子画面を表示させることを特徴とする請求項１乃至３のいずれか一項に記載の撮像装置。
【請求項５】
前記制御手段は、検出した前記主要被写体領域が全てのブロック領域にまたがるときは、前記子画面を非表示にすることを特徴とする請求項４に記載の撮像装置。
【請求項６】
前記主要被写体領域を追尾して合焦状態を自動制御する合焦手段をさらに備え、
前記制御手段は、前記合焦手段が追尾する前記主要被写体領域に応じて前記子画面が重ならないように、前記子画面の表示を制御することを特徴とする請求項１乃至５のいずれか一項に記載の撮像装置。
【請求項７】
前記制御手段は、前記主要被写体領域が複数ある場合には全ての主要被写体領域を検出して、前記全ての主要被写体領域に前記子画面が重ならないように、前記子画面の表示を制御することを特徴とする請求項１乃至６のいずれか一項に記載の撮像装置。
【請求項８】
前記制御手段は、前記主要被写体領域として人物の顔部領域及び／又はペットの顔部領域を検出することを特徴とする請求項１乃至７のいずれか一項に記載の撮像装置。
【請求項９】
前記制御手段は、検出した前記主要被写体領域を矩形の枠領域として前記主画面に重ねて表示して、前記矩形の枠領域の内側に前記子画面が重ならないように前記子画面の表示を制御することを特徴とする請求項１乃至８のいずれか一項に記載の撮像装置。
【請求項１０】
第１の撮影光学系を通して被写体像が結像される第１の撮像素子を有する第１の撮像手段と、第２の撮影光学系を通して前記被写体像が結像される第２の撮像素子を有する第２の撮像手段とを備えた撮像装置のモニタリング画像の表示方法であって、
撮影前のモニタリング時において、前記第１の撮像手段によって得られた第１のモニタリング画像を表示手段の主画面に表示するとともに、前記第２の撮像手段によって得られた、前記第１のモニタリング画像の撮影画角範囲を含む第２のモニタリング画像を前記主画面の所定位置に重ねた子画面に表示する第１ステップと、
前記第１の撮像手段又は前記前記第２の撮像手段によって得られた画像情報に基づいて前記第１のモニタリング画像又は前記第２のモニタリング画像の中から主要被写体領域を検出し、モニタリング時に前記主画面に表示された前記主要被写体領域に前記子画面が重ならないように、前記子画面の位置を移動及び／又はサイズ縮小させる第２ステップとを含むことを特徴とする撮像装置のモニタリング画像の表示方法。
【発明の詳細な説明】
【技術分野】
【０００１】
本発明は、撮影時や撮影画像の再生時に、撮影画像や再生画像などを表示可能な表示部を有するデジタルカメラ等の撮像装置、及び撮像装置のモニタリング画像の表示方法に関する。
【背景技術】
【０００２】
デジタルカメラには、撮影時や撮影画像の再生時に、撮影画像や再生画像などを表示するための液晶モニタ（ＬＣＤ）などの表示部が背面側に設けられている。また、レリーズボタンを押下げ操作する撮影前のモニタリング時においては、この表示部は電子ファインダとして機能し、撮影レンズを通して得られる被写体のスルー画像が表示部に表示される。これにより、撮影者はモニタリング時に表示部に表示されるスルー画像を見ながら構図等を確認することができる。
【０００３】
ところで、近年、前記表示部の画面の中のある領域に子画面を重ねて、この子画面にも画像を表示することができるようにしたデジタルカメラが提案されている（例えば特許文献１）。
【０００４】
前記特許文献１の発明では、表示部の画面にモニタリング画像のうちの所定領域（例えば、人物）をズームして拡大した画像を表示し、子画面に前記モニタリング画像全体を縮小して表示するようにしている。
【発明の概要】
【発明が解決しようとする課題】
【０００５】
ところで、前記特許文献１の発明では、表示部の画面の中に重ねられる子画面の位置と大きさが固定されている。このため、画面に表示されるモニタリング画像の所定の領域を拡大した主要被写体領域（例えば、人物の顔部）の一部が子画面と重なる位置にあると、主要被写体領域（例えば、人物の顔部）の一部が子画面によって隠れてしまう。また、モニタリング時に前記主要被写体領域（例えば、人物の顔部）が移動してその一部が子画面と重なると、主要被写体領域（例えば、人物の顔部）の一部が子画面によって隠れてしまう。
【０００６】
このように、画面内の主要被写体領域（例えば、人物の顔部）の一部が子画面によって隠れてしまうと、撮影者はモニタリング時に拡大されて表示されている主要被写体領域（例えば、人物の顔部）の全体を把握し難くなる。
【０００７】
そこで、本発明は、表示部の画面の中のある領域に子画面を重ねて表示するときに、画面内の主要被写体領域の一部が子画面によって隠れないようにすることができる撮像装置、及び撮像装置のモニタリング画像の表示方法を提供することを目的としている。
【課題を解決するための手段】
【０００８】
前記目的を達成するために請求項１に記載の発明は、第１の撮影光学系を通して被写体像が結像される第１の撮像素子を有する第１の撮像手段と、第２の撮影光学系を通して前記被写体像が結像される第２の撮像素子を有する第２の撮像手段と、撮影前のモニタリング時において、前記第１の撮像手段によって得られた第１のモニタリング画像を主画面に表示するとともに、前記第２の撮像手段によって得られた、前記第１のモニタリング画像の撮影画角範囲を含む第２のモニタリング画像を前記主画面の所定位置に重ねた子画面に表示する表示手段と、前記第１の撮像手段又は前記前記第２の撮像手段によって得られた画像情報に基づいて前記第１のモニタリング画像又は前記第２のモニタリング画像の中から主要被写体領域を検出し、モニタリング時に前記主画面に表示された前記主要被写体領域に前記子画面が重ならないように、前記子画面の表示を制御する制御手段とを備えたことを特徴としている。
【０００９】
請求項２に記載の発明は、ズーム光学系を有する第１の撮影光学系を通して被写体像が結像される第１の撮像素子を有する第１の撮像手段と、前記第１の撮像手段に対して撮影光軸が所定距離だけ離間されて配置され、ズーム光学系を有する第２の撮影光学系を通して前記被写体像が結像される第２の撮像素子を有する第２の撮像手段とを具備し、前記第１、第２の各撮像手段によって得られた各画像から３Ｄ画像を生成可能な表示可能な撮像装置であって、撮影前のモニタリング時において、前記第１の撮像手段によって得られたズームアップされた第１のモニタリング画像を主画面に表示するとともに、前記第２の撮像手段によって得られた広角側に設定された第２のモニタリング画像を前記主画面の所定位置に重ねた子画面に表示可能な表示手段と、前記第１の撮像手段又は前記前記第２の撮像手段によって得られた画像情報に基づいて前記第１のモニタリング画像又は前記第２のモニタリング画像の中から主要被写体領域を検出し、モニタリング時に前記主画面に表示された前記主要被写体領域に前記子画面が重ならないように、前記子画面の表示を制御する制御手段とを備えたことを特徴としている。
【００１０】
請求項３に記載の発明では、前記制御手段は前記主画面の中の前記主要被写体領域に対して前記子画面が重ならないように、前記子画面の位置を移動及び／又はサイズ縮小させるような制御を行うことを特徴としている。
【００１１】
請求項４に記載の発明では、前記制御手段は前記主画面全体の画面領域を複数のブロック領域に分割して、検出した前記主要被写体領域が存在しないブロック領域に前記子画面を表示させることを特徴としている。
【００１２】
請求項５に記載の発明では、前記制御手段は検出した前記主要被写体領域が全てのブロック領域にまたがるときは前記子画面を非表示にすることを特徴としている。
【００１３】
請求項６に記載の発明では、前記主要被写体領域を追尾して合焦状態を自動制御する合焦手段をさらに備え、前記制御手段は、前記合焦手段が追尾する前記主要被写体領域に応じて前記子画面が重ならないように、前記子画面の表示を制御することを特徴としている。
【００１４】
請求項７に記載の発明では、前記制御手段は前記主要被写体領域が複数ある場合には全ての主要被写体領域を検出して、前記全ての主要被写体領域に前記子画面が重ならないように、前記子画面の表示を制御することを特徴としている。
【００１５】
請求項８に記載の発明では、前記制御手段は前記主要被写体領域として人物の顔部領域及び／又はペットの顔部領域を検出することを特徴としている。
【００１６】
請求項９に記載の発明では、前記制御手段は検出した前記主要被写体領域を矩形の枠領域として前記主画面に重ねて表示して、前記矩形の枠領域の内側に前記子画面が重ならないように前記子画面の表示を制御することを特徴としている。
【００１７】
請求項１０に記載の発明は、第１の撮影光学系を通して被写体像が結像される第１の撮像素子を有する第１の撮像手段と、第２の撮影光学系を通して前記被写体像が結像される第２の撮像素子を有する第２の撮像手段とを備えた撮像装置のモニタリング画像の表示方法であって、撮影前のモニタリング時において、前記第１の撮像手段によって得られた第１のモニタリング画像を表示手段の主画面に表示するとともに、前記第２の撮像手段によって得られた、前記第１のモニタリング画像の撮影画角範囲を含む第２のモニタリング画像を前記主画面の所定位置に重ねた子画面に表示する第１ステップと、前記第１の撮像手段又は前記前記第２の撮像手段によって得られた画像情報に基づいて前記第１のモニタリング画像又は前記第２のモニタリング画像の中から主要被写体領域を検出し、モニタリング時に前記主画面に表示された前記主要被写体領域に前記子画面が重ならないように、前記子画面の位置を移動及び／又はサイズ縮小させる第２ステップとを含むことを特徴としている。
【発明の効果】
【００１８】
本発明によれば、モニタリング時に表示手段の主画面に子画面を表示した場合に、主画面に表示された主要被写体領域に子画面が重ならないように、子画面の表示を制御することにより、子画面に遮られること主画面に表示された主要被写体領域の全体を常に把握することができる。
【図面の簡単な説明】
【００１９】
【図１】（ａ）は、本発明の実施形態１に係る撮像装置の一例としてのデジタルカメラの正面側を示す図、（ｂ）は、その背面側を示す図。
【図２】図１に示したデジタルカメラのシステム構成の概要を示すブロック図。
【図３】（ａ）は、測距装置を示す概略断面図、（ｂ）は、この測距装置の撮像素子を示す平面図。
【図４】測距装置による測距原理を説明するための概略図。
【図５】（ａ）は、液晶モニタの画面に表示された画像の一例を示す図、（ｂ）は、液晶モニタの画面に子画面を表示された状態を示す図。
【図６】子画面を他の位置に移動させる（又は子画面のサイズを縮小する）ときの制御を示すフローチャート。
【図７】液晶モニタの画面全体を複数に分割した状態を示す図。
【図８】液晶モニタの画面の中の左上領域に子画面が表示され状態を示す図。
【図９】液晶モニタの画面全体を複数に分割した状態を示す図。
【図１０】液晶モニタの画面の中の右下領域に縮小された子画面が表示され状態を示す図。
【図１１】（ａ）は、液晶モニタの画面の中の左上領域に子画面が表示され状態を示す図、（ｂ）は、液晶モニタの画面の中の右上領域に子画面が表示され状態を示す図。
【図１２】液晶モニタの画面に主要被写体領域として犬の顔部と、液晶モニタの画面の中の左下領域に子画面が表示された状態を示す図。
【図１３】（ａ）は、本発明の実施形態２に係る撮像装置の一例としての３Ｄカメラの正面側を示す図、（ｂ）は、その背面側を示す図。
【図１４】図１３に示した３Ｄカメラのシステム構成の概要を示すブロック図。
【発明を実施するための形態】
【００２０】
以下、本発明を図示の実施形態に基づいて説明する。
〈実施形態１〉
図１（ａ）は、本発明の実施形態１に係る撮像装置の一例としてのデジタルカメラを示す正面図、図１（ｂ）は、このデジタルカメラの背面側を示す図、図２は、図１に示したデジタルカメラのシステム構成の概要を示すブロック図である。なお、本実施形態のデジタルカメラは、三角測距方式の測距装置を有している。
【００２１】
（デジタルカメラの外観構成）
図１に示すように、本実施形態に係るデジタルカメラ１の正面（前面）側には、光学ズーム機能を有する撮影レンズ２、測距装置３の前面側のレンズアレイ４等が配置されている。レンズアレイ４の表面には、所定の間隔で左右方向に設けた一対（２つ）の測距用レンズ５ａ，５ｂが一体に形成されている（測距装置３の詳細については後述する）。撮像レンズ２と各測距用レンズ５ａ，５ｂの各光軸は平行である。
【００２２】
デジタルカメラ１の上面側には、レリーズボタン（シャッタボタン）６、撮影・再生切替ダイアル７、電源ボタン（不図示）等が設けられている。また、デジタルカメラ１の背面側には、表示部としての液晶モニタ（ＬＣＤ）８、望遠側ズーム（Ｔ）スイッチ９、広角側ズーム（Ｗ）１０、スイッチメニュー（ＭＥＮＵ）ボタン１１、確定ボタン（ＯＫボタン）１２等が設けられている。
【００２３】
（デジタルカメラ１のシステム構成）
図２に示すように、このデジタルカメラ１は、複数のレンズ群を有する撮影レンズ２、シャッタ機能を有する絞りユニット２０、撮影レンズ２を通して入射される被写体像が受光面上に結像する撮影用撮像素子としてのＣＣＤイメージセンサ２１、ＣＣＤイメージセンサ２１から出力される画像信号（画素出力信号）をデジタル処理して取り込み、表示や記録が可能な画像データに変換処理する信号処理部２２、操作部（レリーズボタン６、撮影モード切換ボタン７、撮影・再生切替ダイアル７、望遠側ズーム（Ｔ）スイッチ９、広角側ズーム（Ｗ）１０、メニューボタン１１、確定ボタン１２（図１参照）等）２３からの操作入力情報に基づき、ＲＯＭ（不図示）に記憶された制御プログラムに基づいてデジタルカメラ１全体のシステム制御等を行う制御部２４、信号処理部２２で生成された画像データを表示する液晶モニタ８、撮影レンズ２のフォーカスレンズ群を駆動するフォーカスレンズ駆動部２５、撮影レンズ２のズームレンズ群を駆動するズームレンズ駆動部２６、絞りユニット２０を駆動する絞りユニット駆動部２７、及び被写体までの距離を測距する前記測距装置３等を備えている。信号処理部２２で生成された画像データは、メモリカード収納部（不図示）内に着脱自在なメモリカード２８に記録される。
【００２４】
液晶モニタ８は、撮影した画像データ（撮影画像）やメモリカード２８に既に記録されている画像データを表示する以外にも、撮影時の撮影モードなどの各種動作内容等を表示したり、電子ファインダとしてモニタリング画像（動画）を表示することができる。なお、実際に撮影する前のモニタリング動作時においては、ＣＣＤイメージセンサ２１からの画像信号に対して画素数を間引き処理した画像（動画）が液晶モニタ８に表示される。なお、本実施形態のデジタルカメラ１は、液晶モニタ８の画面の中のある領域に子画面を重ねて、この子画面にも画像を表示することができる機能を有している（詳細は後述する）。
【００２５】
（測距装置３の構成）
図３（ａ），（ｂ）に示すように、測距装置３は、前面側（図３（ａ）の上側）が開口した筐体３０と、この筐体３０の前面側に一対の測距用レンズ５ａ，５ｂが一列（デジタルカメラ１の左右方向）に一体に形成された透明樹脂材からなるレンズアレイ４と、レンズアレイ４と対向する筐体３０内の背面側（図３（ａ）の下側）に配置された薄板状の撮像素子基板３１と、撮像素子基板３１上に所定間隔で形成された平面状（２次元状）の２つの撮像素子３２ａ，３２ｂと、撮像素子基板３１の背面に配置された測距処理部３３、及びアナログフロントエンド（ＡＦＥ）部３４を備えている。
【００２６】
各測距用レンズ５ａ，５ｂの各光軸は平行であり、各測距用撮像素子３２ａ，３２ｂの各撮像領域３２ａ１，３２ｂ１の対角中心と各測距用レンズ５ａ，５ｂの光軸が略一致するように位置決めされている。各測距用レンズ５ａ，５ｂの画角は、撮影レンズ２を広角側に設定したときの画角に略対応している。
【００２７】
測距処理部３３は、各測距用撮像素子３２ａ，３２ｂ（撮像領域３２ａ１，３２ｂ１）から取り込んだ画像信号に基づいて各撮像領域３２ａ１，３２ｃ１に結像された被写体像間のずれ（視差）を算出して、被写体までの距離を算出する。測距処理部３３で算出された距離データは制御部２４に出力される。制御部２４は、入力された距離情報に基づいて、被写体像がＣＣＤイメージセンサ２１の受光面上に結像するようにフォーカスレンズ駆動部２５に駆動制御信号を出力し、撮影レンズ２のフォーカスレンズ群を移動させる。
【００２８】
ＡＦＥ部３４は、各測距用撮像素子３２ａ，３２ｂ（撮像領域３２ａ１，３２ｂ１）から出力される画像信号をデジタル信号に変換する。ＡＦＥ部３４でデジタル信号に変換に変換された画像信号は、前記信号処理部２２に入力される。
【００２９】
ここで、測距装置３による測距原理について簡単に説明する。
【００３０】
図４に示すように、測距用レンズ５ａを通して得られた被写体像ａ１と測距用レンズ５ｂを通して得られた被写体像ａ２は、被写体ａ上の同一点が視差△だけずれて両側の測距用撮像素子３２ａ，３２ｂの各撮像領域３２ａ１，３２ｂ１上にそれぞれ結像し、複数の画素（受光素子）で受光されて画像信号（電気信号）に変換される。
【００３１】
そして、前記視差を△、測距用レンズ５ａ，５ｂの光軸間の距離（基線長）をＤ、測距用レンズ５ａ，５ｂと被写体ａ間の距離をＬ、測距用レンズ５ａ，５ｂの焦点距離をｆとし、Ｌ≫ｆであるときは、下記の式（１）が成り立つ。
【００３２】
Ｌ＝Ｄ・ｆ／△      …式（１）
【００３３】
よって、Ｄとｆは既知であるので、各撮像領域３２ａ１，３２ｂ１の画素から出力される画像信号に基づいて前記視差△を算出することで、測距用レンズ５ａ，５ｂと被写体ａ間の距離Ｌを算出することができる。
【００３４】
（通常のモニタリング動作、静止画撮影動作）
次に、デジタルカメラ１の通常のモニタリング動作と静止画撮影動作について説明する。
【００３５】
実際に撮影される前のモニタリング動作時においても、制御部２４は、測距装置３の測距処理部３３から入力された距離情報に基づいてフォーカスレンズ駆動部２６を駆動制御して、撮像レンズ２のフォーカスレンズ群を合焦位置に移動させる合焦制御を行い、被写体像をＣＣＤイメージセンサ２１の受光面に結像させる。
【００３６】
また、信号処理部１２は、ＣＣＤイメージセンサ２１から取り込んだデジタル信号に変換された画像信号に基づいて、被写体の輝度を算出する。算出された被写体の輝度情報は制御部２４に出力される。そして、制御部２４は、入力された輝度情報に基づいて、被写体に対して適正な露光量となるように絞りユニット２０の開放状態（絞り値）と、ＣＣＤイメージセンサ２１の電子シャッタ回数等を設定する。絞りユニット２０の開放状態は、絞りユニット駆動部２７の駆動によって制御される。
【００３７】
この際、液晶モニタ８には、モニタリング動作時の画像（動画）が表示されている。なお、液晶モニタ８には、ＣＣＤイメージセンサ２１からの画像信号に対して画素数を間引き処理した画像が表示される。
【００３８】
そして、このモニタリング動作時にレリーズボタン６が押下操作されると、測距装置３からの距離情報によって被写体にピントが合った合焦状態でかつ適正な露光条件（ＣＣＤイメージセンサ２１の電子シャッタ回数、絞りユニット２０の絞り値等）で被写体を撮影する。そして、信号処理部２４は、ＣＣＤイメージセンサ２１から出力される画像信号をデジタル処理して取り込み、表示や記録が可能な画像データに変換処理する。信号処理部２４で生成された画像データは、メモリカード２８に記録され、また、液晶モニタ８に静止画像として表示される。
【００３９】
また、制御部２４は、顔検出部２４ａを有している。顔検出部２４ａは、例えば、撮像画面内の各エリアの輝度データを読み出し、予め記憶されている人物の顔部の目と鼻の輝度パターンテンプレートとのマッチングを行うことで、主要被写体領域である人物の顔部を検出する処理を行う。前記輝度パターンテンプレートは、複数種類の大きさのものが予めＲＯＭ（不図示）に記憶されており、それぞれの大きさの輝度パターンテンプレートで撮像画面内の各エリアにおいてパターンマッチングすることで人物の顔部の検出を行う。人物の顔部が検出されると、人物の顔部が撮像画面内で移動してもそれに追尾して検出状態を保持する。
【００４０】
また、顔検出部２４ａは、人物の顔部の検出以外にも犬や猫などのペットの顔部も検出する機能も有している。
【００４１】
（モニタリング時の子画面の表示動作）
次に、モニタリング時における子画面の表示動作について説明する。
【００４２】
図５（ａ）に示すように、上記した通常のモニタリング時には液晶モニタ８の画面には、撮像ユニット（撮影レンズ２、ＣＣＤイメージセンサ２１）によって得られた画像（以下、「第１画像」という）が表示される。なお、図では、主要被写体としての２人の人物が表示されており、２人の人物の顔部（主要被写体領域）の周囲には顔部を検出していることを示している顔検出枠Ａが表示されている。また、液晶モニタ８の画面全体に表示されている第１画像の画角は、広角側ズームスイッチ１０を操作して撮影レンズ２を広角側に設定したときのものである。
【００４３】
そして、メニューボタン１１を操作して液晶モニタ８の画面上で「子画面表示」（不図示）を選択し、確定ボタン１２を押すことにより、図５（ｂ）に示すように、液晶モニタ８の画面（主画面）の中の右下領域に子画面３０が重ねられるようにして表示される。なお、図５（ｂ）に示す液晶モニタ８の画面に表示された第１画像は、望遠側ズームスイッチ９を操作して撮影レンズ２を望遠側に設定したときのものであり、主要被写体としての２人の人物の顔部付近をズームアップしている。なお、図５では、主要被写体が２人の人物の例であるが、主要被写体が１人の人物或いは３人以上の場合であってもよい。
【００４４】
この子画面３０には、測距装置３の一方の測距用撮像ユニット（測距用レンズ５ａ、測距用撮像素子３２ａ）によって得られた画像（以下、「第２画像」という）が表示される。なお、子画面３０には、測距装置３の他方の測距用撮像ユニット（測距用レンズ５ｂ、測距用撮像素子３２ｂ）によって得られた画像（前記第２画像に対して少し視差があるだけで略同じ画像）を表示するようにしてもよい。
【００４５】
子画面３０に表示される第２画像の画角は、撮影レンズ２を広角側に設定したときと略対応している。よって、図５（ｂ）の子画面３０に表示された第２画像の画角は、図５（ａ）の液晶モニタ８の画面に表示された第１画像の画角と略対応している。
【００４６】
このように、子画面３０に表示される第２画像の画角は、画面サイズが異なるだけで撮影レンズ２を広角側に設定したときの画像の画角と略同じものとなる。よって、図５（ｂ）に示すように、液晶モニタ８の画面全体に表示された第１画像の所望の領域（図では、主要被写体領域としての２人の人物の顔部付近）をズームアップした場合でも、子画面３０に表示された第２画像を確認することにより、主要被写体のどの部分を撮影しているかを容易に把握することができる。
【００４７】
ところで、上記したように子画面３０は、最初に液晶モニタ８の画面の中の右下領域に表示されるように設定されている。このため、例えば図５（ｂ）に示したように、モニタリング時において、液晶モニタ８の画面に表示された第１画像の所望の領域（図では、主要被写体領域としての２人の人物の顔部付近）をズームアップした場合に、主要被写体領域（人物の顔部付近）の一部が子画面３０で隠れてしまうと、この主要被写体領域の全体を把握し難くなる。
【００４８】
そこで、本実施形態のデジタルカメラ１の制御部２４は、モニタリング時において、液晶モニタ８の画面に表示された第１画像内の主要被写体領域（例えば人物の顔部付近）の一部が子画面３０で隠れているか否かを判定し、この主要被写体領域の一部が子画面３０で隠れていると判定した場合には、子画面３０を他の位置に移動させる、又は子画面３０のサイズを縮小するような制御を行う。以下、この制御について、図６に示したフローチャートを参照して説明する。
【００４９】
モニタリング時において、図５（ｂ）に示したように、子画面３０を液晶モニタ８の画面の中の右下領域（設定位置）に表示する（ステップＳ１）。そして、このときに液晶モニタ８の画面に表示された主要被写体領域（人物の顔部付近）周囲の顔検出枠Ａの領域の一部が、子画面３０と重なっているか否かを判定する（ステップＳ２）。
【００５０】
そして、ステップＳ２で、顔検出枠Ａの領域の一部が子画面３０と重なっていると判定した場合（ステップＳ２：ＹＥＳ）、図７に示すように、液晶モニタ８の画面全体を複数に分割（図では、全体で１２（３×４）分割）して、各分割領域全体に対して主要被写体領域（人物の顔部付近）周囲の顔検出枠Ａが位置しているか否かを判定する（ステップＳ３）。
【００５１】
なお、各分割領域は、子画面３０のサイズよりも少し大きく設定されている。よって、各分割領域のうちで顔検出枠Ａが位置していない分割領域に子画面３０を位置させた場合には、顔検出枠Ａの領域が子画面３０に重なることはない。即ち、図７では、画面の左上の分割領域ａ１又はその右隣の分割領域ａ２に子画面３０を位置させた場合には、顔検出枠Ａの領域は子画面３０と重ならない。
【００５２】
なお、本実施形態では、子画面３０の表示位置の優先度は、優先度の高い順に液晶モニタ８の画面全体の中の右下領域（設定位置）→左下領域→左上領域→右上領域となるように設定されている。よって、図７では、画面の左下領域にも別の顔検出枠Ａの領域があるので、画面の左上領域（分割領域ａ１）に子画面３０を位置させることができる。なお、子画面３０の表示位置の優先度は上記の表示位置パターンに限らず、予め複数の表示位置パターンが格納されている場合には、撮影者が任意の表示位置パターンを選択することができる。
【００５３】
そして、ステップＳ３で、各分割領域全体に対して主要被写体領域（人物の顔部付近）周囲の顔検出枠Ａが位置していない分割領域があると判定した場合（ステップＳ３：ＮＯ）、上記したように画面の左上領域（分割領域ａ１）に子画面３０を移動させる（ステップＳ４）。これにより、図８に示すように、液晶モニタ８の画面の中の左上領域に子画面３０が表示される。
【００５４】
また、ステップＳ３で、例えば図９に示すように、各分割領域全体に対して主要被写体領域（人物の顔部付近）周囲の顔検出枠Ａが全ての分割領域にまたがるように位置していると判定した場合（ステップＳ３：ＹＥＳ）、図１０に示すように、子画面３０の位置はそのままで子画面３０のサイズを縮小して顔検出枠Ａで隠れないようにする（ステップＳ５）。図９のように、顔検出枠Ａが全ての分割領域にまたがるように位置している状況としては、主要被写体に対して高倍率でズームアップした場合や、主要被写体がカメラ側に近づいてきた場合などが挙げられる。
【００５５】
なお、ステップＳ４で、子画面３０が所定サイズ以下に縮小されるような場合には、子画面３０内の画像も小さくなって視認し難くなるので子画面３０を非表示にする。
【００５６】
また、ステップＳ５で、子画面３０のサイズを縮小するとともに、この縮小した子画面３０を他の位置（例えば、画面の左上領域）に移動させて表示するようにしてもよい。
【００５７】
上記したデジタルカメラ１は、モニタリング時から測距装置３で主要被写体領域（例えば、人物の顔部）までの距離を連続的に測距して合焦制御しているので、モニタリング時に主要被写体領域が移動してもそれに追尾して、主要被写体領域を液晶モニタ８に表示することができる。また、モニタリング時に液晶モニタ８の画面に子画面３０が重ねられて表示されているときは、図６に示したフローチャートに基づいた制御が行われる。
【００５８】
よって、モニタリング時において、例えば図１１（ａ）に示すように、液晶モニタ８の画面にズームアップされた顔検出枠Ａで囲まれた主要被写体領域（人物の顔部）と、子画面３０が画面の左上領域に表示されているときに、主要被写体領域が移動しても、図１１（ｂ）に示すように、顔検出枠Ａと重ならない位置に子画面３０を自動的に移動させて表示することができる。なお、図１１（ｂ）では、子画面３０は画面の右上領域に表示されている。
【００５９】
また、前記顔検出部２４ａは、人物の顔部の検出以外にも犬や猫などのペットの顔部も検出する機能も有している。よって、モニタリング時において、例えば図１２に示すように、モニタリング時に液晶モニタ８の画面内に子画面３０を表示した場合、この子画面３０に、前記測距装置３の一方の測距用撮像ユニット（例えば、測距用レンズ５ａ、測距用撮像素子３２ａ）で得られた犬（主要被写体）全体を表示する。そして、液晶モニタ８の画面にズームアップされた顔検出枠Ａで囲まれた主要被写体領域である犬の顔部を表示したときに、前記同様に顔検出枠Ａと重ならない位置に子画面３０を自動的に移動させて表示することができる。なお、図１２では、子画面３０は画面の左下領域に表示されている。
【００６０】
このように、本実施形態のデジタルカメラ１によれば、液晶モニタ８の画面内に、広角側に設定した画角の主要被写体（例えば、人物全体）を子画面３０で表示することにより、液晶モニタ８の画面にズームアップされた主要被写体の所定の領域（例えば、人物の顔部）を表示したときに、子画面３０の画像を確認することによって主要被写体のどの領域をズームアップしているかを容易に把握することができる。
【００６１】
更に、液晶モニタ８の画面にズームアップされた主要被写体の所定の領域（例えば、人物の顔部）の一部に子画面３０が重ならないように、子画面３０の位置を移動させたり、子画面３０のサイズを縮小させる（又はその両方）ことができるので、子画面３０に遮られることなくズームアップされた主要被写体の所定の領域（例えば、人物の顔部）全体を常に把握することができる。
【００６２】
なお、前記実施形態１では、第２の撮像手段として測距装置を兼用して用いた構成であったが、専用の撮像装置を備えた構成でもよい。
【００６３】
〈実施形態２〉
図１３（ａ）は、本発明の実施形態２に係る撮像装置の一例としてのデジタルカメラを示す正面図、図１３（ｂ）は、このデジタルカメラの背面側を示す図、図１４は、図１３に示したデジタルカメラのシステム構成の概要を示すブロック図である。
【００６４】
本実施形態のデジタルカメラは、立体視可能な画像を記録、表示可能な３Ｄカメラである。なお、図１、図２に示した実施形態１のデジタルカメラと同一機能を有する構成部には同一符号を付し、重複する説明は省略する（２つの撮影レンズ、ＣＣＤイメージセンサに対しては、第１、第２の撮影レンズ２ａ，２ｂ、第１、第２のＣＣＤイメージセンサ２１ａ，２１ｂと表記している）。
【００６５】
なお、本実施形態に係るデジタルカメラ（以下、「３Ｄカメラ」という）の制御部２４は、第１、第２のＣＣＤイメージセンサ２１ａ，２１ｂから信号処理部２２を介して取り込まれる各画像信号に基づいてオートフォーカス制御を行う。詳細には、制御部２３は、第１、第２のＣＣＤイメージセンサ２１ａ，２１ｂから出力される各画像信号を信号処理部１２を介して取り込み、取り込まれた画素出力信号からＡＦ（自動合焦）評価値を算出する。
【００６６】
このＡＦ評価値は、例えば高周波成分抽出フィルタの出力積分値や、近接画素の輝度差の積分値によって算出される。合焦状態にあるときは、被写体のエッジ部分がはっきりとしているため、高周波成分が一番高くなる。これを利用して、ＡＦ動作時（合焦検出動作時）には、第１、第２の撮影レンズ２ａ，２ｂの各フォーカス位置におけるＡＦ評価値を取得して、その極大になる点を合焦検出位置としてＡＦ動作が実行される。
【００６７】
図１３（ａ）に示すように、本実施形態に係る３Ｄカメラ１ａの正面（前面）側には、光学ズーム機能を有する２つの第１、第２撮影レンズ２ａ，２ｂが左右に所定の間隔を設けて配置されている。この３Ｄカメラ１ａでは、第１の撮像ユニット（第１の撮影レンズ２ａ、第１のＣＣＤイメージセンサ２１ａ）と、第２の撮像ユニット（第２の撮影レンズ２ｂ、第２のＣＣＤイメージセンサ２１ｂ）によって得られた視差のある２つの同じ画角の画像を同時に記録することができる。
【００６８】
そして、この視差のある２つの画像を３Ｄ表示用に特殊処理された液晶モニタ８に表示することにより、撮影者等は撮影した被写体像を立体視できる。なお、モニタリング時においても、同様に液晶モニタ８には立体視可能な被写体像（動画）が表示される。
【００６９】
また、図１４に示すように、第１、第２の撮影レンズ２ａ，２ｂには、それぞれフォーカスレンズ駆動部２５、ズームレンズ駆動部２６、絞りユニット駆動部２７が設けられており、制御部２４の制御によって、第１、第２の撮影レンズ２ａ，２ｂのフォーカスレンズ群、ズームレンズ群、絞りユニット２０を同期させて駆動したり、個別に駆動させることができる。また、この３Ｄカメラ１ａにも、実施形態１で述べた子画面３０を液晶モニタ８の画面に重ねるように表示する機能を有している。
【００７０】
よって、この３Ｄカメラ１ａでは、図１３（ｂ）に示すように、モニタリング時に液晶モニタ８の画面に子画面３０を表示した場合、この子画面３０には、第２の撮像ユニット（第２の撮影レンズ２ｂ、第２のＣＣＤイメージセンサ２１ｂ）で得られた第２の撮影レンズ２ｂを広角側に設定した状態の画像（図では、主要被写体としての２人の人物像）を表示することができる。一方、液晶モニタ８の画面には、第１の撮像ユニット（第１の撮影レンズ２ａ、第１のＣＣＤイメージセンサ２１ａ）で得られたズームアップした画像（図では、主要被写体領域としての２人の人物の顔部付近）を表示することができる。
【００７１】
そして、この３Ｄカメラ１ａにおいても実施形態１と同様に、モニタリング時に液晶モニタ８の画面に子画面３０を表示した場合には、図６に示したフローチャートに基づいた制御が行われ、液晶モニタ８の画面に表示された顔検出枠Ａと重ならない位置に子画面３０を自動的に移動させて表示することができる。なお、図１３（ｂ）では、子画面３０は画面の左上領域に表示されている。
【００７２】
よって、実施形態１と同様に液晶モニタ８の画面内に、広角側に設定した画角の主要被写体（例えば、人物全体）を子画面３０で表示することにより、液晶モニタ８の画面にズームアップされた主要被写体の所定の領域（例えば、人物の顔部）を表示したときに、子画面３０の画像を確認することによって主要被写体のどの領域をズームアップしているかを容易に把握することができる。
【００７３】
更に、液晶モニタ８の画面にズームアップされた主要被写体の所定の領域（例えば、人物の顔部）の一部に子画面３０が重ならないように、子画面３０の位置を移動させたり、子画面３０のサイズを縮小させる（又はその両方）ことができるので、子画面３０に遮られることなくズームアップされた主要被写体領域の全体を常に把握することができる。
【００７４】
なお、この３Ｄカメラ１ａは、上記したようにモニタリング時には第２の撮影レンズ２ｂを広角側に設定してその画像を子画面３０に表示し、第１の撮影レンズ２ａをズームアップしてその画像を液晶モニタ８の画面に表示することができるが、撮影時に前記した視差のある２つの同じ画角の画像を得るには、第１、第２の撮影レンズ２ａ，２ｂの両方の画角を同じにする必要がる。このモニタリング時には、第１の撮影レンズ２ａはズームアップされて望遠側に設定され、第２の撮影レンズ２ｂは広角側に設定されている。
【００７５】
よって、上記のモニタリング時からレリーズボタン６を押下操作して撮影を行う際には、先ず、制御部２４の制御により第２の撮影レンズ２ｂ側のズームレンズ駆動部２６を駆動して、広角側に設定されている第２の撮影レンズ２ｂを望遠側に駆動する。そして、第２の撮影レンズ２ｂの画角を第１の撮影レンズ２ａの画角に合わせた後に撮影動作が実行され、視差のある２つの同じ画角の画像が同時に記録される。
【００７６】
そして、この撮影の後のモニタリング時には、前記同様に第２の撮影レンズ２ｂを広角側に再度設定してその画像が子画面３０に表示される。なお、液晶モニタ８の画面には、第１の撮像ユニット（第１の撮影レンズ２ａ、第１のＣＣＤイメージセンサ２１ａ）で得られたズームアップした画像が表示される。
【００７７】
なお、上記した各実施形態では、モニタリング時の画像を液晶モニタ（表示手段）に表示するときに本発明を適用した例であったが、記録された画像（再生画像）を液晶モニタに表示するときにおいても、同様に本発明を適用することができる。
【００７８】
即ち、再生画像全体を第２のモニタリング画像として子画面に表示し、再生画像全体の一部を拡大させた画像を第１のモニタリング画像として液晶モニタの画面に表示する。再生画像の場合は画像の中央に限らず拡大箇所を設定することができて、顔検出も記録画像を用いて同様に行うことができる。なお、この場合の再生画像は静止画でも動画でもよい。動画の場合は画像の拡大状況に加えて、時間の経過に伴う構図の変化によって子画面の位置を変更させることになる。
【符号の説明】
【００７９】
１        デジタルカメラ
１ａ      ３Ｄカメラ
２        撮影レンズ
２ａ      第１の撮影レンズ
２ｂ      第２の撮影レンズ
３        測距装置
８        液晶モニタ
２４      制御部
３０      子画面
【先行技術文献】
【特許文献】
【００８０】
【特許文献１】特許第４０５０３８５号公報
【図１】
2013017125.tif 000003
【図２】
2013017125.tif 000004
【図３】
2013017125.tif 000005
【図４】
2013017125.tif 000006
【図５】
2013017125.tif 000007
【図６】
2013017125.tif 000008
【図７】
2013017125.tif 000009
【図８】
2013017125.tif 000010
【図９】
2013017125.tif 000011
【図１０】
2013017125.tif 000012
【図１１】
2013017125.tif 000013
【図１２】
2013017125.tif 000014
【図１３】
2013017125.tif 000015
【図１４】
2013017125.tif 000016